(57)【要約】【課題】一定時間動作していないときに省電力モードに移行する装置に対して、より一層の省電力化を促進でき、また、省電力時も間欠起動をしないため更なる省電力化をすることが出来る記録装置及び省電力モードを有する電源装置の提供。【解決手段】力率改善回路を備えた電源装置を有し、一定時間動作していないときに省電力モードに移行する記録装置であって、外部からの印刷データが一定時間入力されない場合に、前記力率改善回路の動作を停止し、前記電源装置が省電力モードとなることを特徴とする記録装置。【選択図】図１
2007090830.tif 000002
【特許請求の範囲】
【請求項１】
力率改善回路を備えた電源装置を有し、一定時間動作していないときに省電力モードに移行する記録装置であって、
外部からの印刷データが一定時間入力されない場合に、前記力率改善回路の動作を停止し、前記電源装置が省電力モードとなることを特徴とする記録装置。
【請求項２】
前記電源装置が省電力モードになるタイミングは、前記印刷装置が省電力モードになった後であることを特徴とする請求項１に記載の記録装置。
【請求項３】
力率改善回路を備えた電源装置であって、一定時間動作していないときに省電力モードに移行する記録装置に電力を供給する省電力モードを有する電源装置において、前記記録装置が省電力モードに移行しているときに印刷データを検出すると前記電源装置内の力率改善回路の動作を開始させ、前記電源装置が動作モードで前記記録装置へ電力を供給することを特徴とする省電力モードを有する電源装置。
【請求項４】
前記電源装置が動作モードになるタイミングは、前記記録装置が動作モードになる前であることを特徴とする請求項３記載の省電力モードを有する電源装置。
【発明の詳細な説明】
【技術分野】
【０００１】
本発明は一定時間動作していないときに省電力モードに移行する機器で、より一層の省電力化を促進するための記録装置及び省電力モードを有する電源装置に関する。
【背景技術】
【０００２】
近年、電気機器、例えば、印刷装置などの機器において、省エネの要請に従い、種々の工夫がなされている。印刷装置においては、例えば、直ぐに印刷が可能なスタンバイモードより消費電力を少なくした省電力モードを有し、一定時間動作しないときに省電力モードへ自動的に移行し、消費電力を抑え、省電力化を促進している。一方で、機器全体の力率改善、高調波対策のために電源にアクティブフィルタなどの力率改善部が設けられたものが近年開発されてきている。
【０００３】
この力率改善部は、スイッチング回路を用いてスイッチング動作を行うことにより、電流波形をマクロ的に交流入力電源（ＡＣ）の電圧波形と相似な正弦波状に修正し、ＡＣ電源側からみた力率を改善し、高調波の発生を抑制するものである。
【０００４】
さらに、特許文献１では、機器が省電力モードに移行しているときには、力率改善部を介さずに、該機器への電力を供給する構成とし、省電力モードからスタンバイモードへの復帰のために操作部制御手段を一定間隔で間欠起動させてスイッチが押圧されたか否かを検出する機器が開示されている。
【特許文献１】特開平１１−１３６８５８号公報。
【発明の開示】
【発明が解決しようとする課題】
【０００５】
このように、力率改善部は動作モード時、省電力モード時のいずれにおいても動作状態であり、印刷装置が省電力モードに移行しているときは、印刷装置自体の消費電力が少ないにもかかわらず、力率改善部のスイッチング動作によって無駄な電力を消費し、省電力化を妨げている。また、特許文献１の方式では、操作部制御手段を一定間隔で間欠起動させてスイッチが押圧されたか否かを検出するため、間欠起動による電力消費も発生している。そこで、本発明においてはこのような課題を解決し、より一層の省電力化を促進するものである。
【課題を解決するための手段】
【０００６】
力率改善回路（アクティブフィルタ）のスイッチング動作により力率を改善した後に、機器に電力を供給する電源装置で、一定時間動作していないときに省電力モードに移行する印刷装置に電力を供給する省電力モードを有する電源装置とホストインターフェースを制御し、ホストからの印刷データを処理してエンジンにデータを渡すシステム部とヘッド駆動機構や用紙供給・搬送機構等の印刷に必要な機構からなるエンジン部を備え、ホストインターフェースからの印刷データが一定時間こないときにシステム部は、前記電源装置内の力率改善回路のスイッチング動作を停止し、前記電源装置が省電力モード状態で、前記印刷装置へ電力を供給するように構成する。さらに、前記印刷装置が省電力モードに移行しているときにシステム部が印刷データを検出するとシステム部は前記電源装置内の力率改善回路のスイッチング動作を開始させ、前記電源装置が動作モード状態で前記印刷装置へ電力を供給するように構成する。
【０００７】
なお、さらに詳細に説明すれば、本発明は下記の構成によって前記課題を解決できた。
【０００８】
（１）力率改善回路を備えた電源装置を有し、一定時間動作していないときに省電力モードに移行する記録装置であって、
外部からの印刷データが一定時間入力されない場合に、前記力率改善回路の動作を停止し、前記電源装置が省電力モードとなることを特徴とする記録装置。
【０００９】
（２）力率改善回路を備えた電源装置であって、一定時間動作していないときに省電力モードに移行する記録装置に電力を供給する省電力モードを有する電源装置において、前記記録装置が省電力モードに移行しているときに印刷データを検出すると前記電源装置内の力率改善回路の動作を開始させ、前記電源装置が動作モードで前記記録装置へ電力を供給することを特徴とする省電力モードを有する電源装置。
【発明の効果】
【００１０】
以上本発明のようにすれば、一定時間動作していないときに省電力モードに移行する装置に対して、より一層の省電力化を促進できる。また、省電力時も間欠起動をしないため更なる省電力化をすることが出来る。
【発明を実施するための最良の形態】
【００１１】
以下本発明を実施するための最良の形態を、実施例により詳しく説明する。
【実施例】
【００１２】
以下に図面に基づいて本発明の第１の実施形態について具体的に説明する。
【００１３】
図１は本発明を実施するための基本的構成を示すブロック図である。
【００１４】
図１に示すように、ホストコンピュータ（以下、ホストという）１にプリンタ（記録装置）３が接続されている。ホスト１には、オペレーティングシステム（以下、ＯＳという）７と、アプリケーションプログラム（以下、アプリケーションという）５とがインストールされている。ＯＳ７内にはプリンタドライバ９がインストールされている。
【００１５】
プリンタドライバ９は、アプリケーション５からの描画命令に対応した印刷データをプリンタ３が理解できるデータ形式で生成するものであり、一般に、プリンタ３のメーカが製造してプリンタ３と共にユーザに提供され、ユーザによってＯＳ７内にインストールされる。
【００１６】
ホスト１とプリンタ３とは、双方向性の通信インターフェース１１（以下、セントロニクス）を介して接続されている。
【００１７】
プリンタ３は、ヘッド駆動機構や用紙供給・搬送機構等の印刷に必要な機構からなるエンジン１３と、ホスト１からの印刷データを処理してプリントエンジンを制御するコントローラ１５とを備える。コントローラ１５は、一般のプリンタのそれと同様に、ホスト１と通信するためのホストＩ／Ｆ１７、ホスト１から受信した印刷データを処理するためのＣＰＵ１９、ＣＰＵ１９の動作に最低限必要なプログラムを搭載したＲＯＭ２１、ＣＰＵ１９の動作プログラムと拡張スロットに挿入された拡張ボードの動作プログラムが記憶されているフラッシュＲＯＭ３３、主記憶やワークエリアや受信バッファやページメモリや印刷バッファ等として利用されるＲＡＭ２３、設定されているプリンタ３の現在のステータスを保持するためのＥＥＰＲＯＭ２５、フォントデータを保持したキャラクタジェネレータ（以下、ＣＧという）２７、エンジン１３との通信のためのエンジンインタフェース２９、後述する省電力モードを備えた電源２４、及び拡張ボード３０を格納するための拡張スロット３１等を備えている。
【００１８】
ホストＩ／Ｆ１７は、省電力モード時にデータを検出するとＣＰＵ１９に割り込み信号を生成する機能を有する。拡張スロット３１には拡張ボード３０と通信することによりデータを送受信し拡張ボードの機能を実現する機能と省電力モード時にデータを検出するとＣＰＵ１９に割り込み信号を生成する機能を有する。ＣＰＵ１９はプリンタ３を後述する方法により省電力モードや動作モードに移行させることができる。また、電源２４はプリンタ３内の各素子に対して電力を供給するがＣＰＵ１９の命令により省電力モードや動作モードに移行することができる。
【００１９】
図２は、電源２４を模式的に示した図である。
【００２０】
電源２４は、電源プラグ２４１を介して得た交流電源を全波整流回路２４２に介して直流電源へと変換し、さらに力率改善回路２４３を介して、スイッチングレギュレータ回路２４４にて所望の電圧に変換して、プリンタ３各部に電力を供給する。２４６は力率改善回路制御部である。これらの図は模式的に示したに過ぎず、これに限るものではなく、同様の効果の得られるのもでもよい。力率改善回路２４３は、アクティブフィルタで構成されて、スイッチング回路としてＦＥＴ２４５を備えている。このＦＥＴは不図示のフィードバック制御回路によってフィードバック制御され、高周波の発生を抑制する。
【００２１】
力率改善回路２４３の動作または動作停止の制御について説明する。力率改善制御部２４６はプリンタ３の動作モード状態（印刷およびスタンバイ状態を示す）ではＦＥＴ２４５をスイッチング制御し、力率改善回路２４３を動作状態に設定する。これに対し、省電力モード状態では、ＦＥＴ２４５のスイッチング制御を停止する。具体的には、ＦＥＴ２４５のゲートに印加するスイッチング制御信号の発生を停止し、ＦＥＴ２４５をオフ状態に維持する。これにより、力率改善回路２４３は動作停止状態になり、同力率改善回路２４３で消費される電力が減少する。力率改善回路制御部２４６への指示は、ＣＰＵ１９によって行われる。
【００２２】
図３は、拡張インターフェースボード３０を拡張スロット３１に接続したときのブロック図である。
【００２３】
４１は拡張スロットコントローラでＣＰＵ１９の命令に従い拡張ボード３０内にあるネットワークコントローラ４６と拡張ホストインターフェース４５を通して得られたデータの送受信をおこなう。４７は拡張インターフェースで本実施例の拡張インターフェースは３３ＭＨｚのＰＣＩバスを用いている。また、４２は拡張インターフェースコネクタ６０上に配置された拡張ボード検出端子で拡張ボード３０上の拡張ボード端子４３との接続を行い、拡張ボード３０の有無を検出する。本実施例では拡張ボード検出端子がハイレベルのとき拡張ボード３０は未接続でローレベルのとき接続とした。また、拡張スロットコントローラ４１とネットワークコントローラ４６との通信で応答がないときには拡張ボードがないと判断しても良い。４６はネットワークコントローラでホスト１と拡張ホストインターフェース４５を通してデータの送受信する機能を備えている。また、省電力モード状態の時に印刷データを受信するとＰＭＥ信号４８によりＣＰＵ１９に印刷データを受信したことを通知する。
【００２４】
図４は、このプリンタ３において、ＣＰＵ１９が実行する動作モードから省電力モードに切り替える時のフローチャートである。
【００２５】
プリンタ３が動作モード状態になるとＣＰＵ１９は不図示の内部タイマーを起動する（ステップＳ１）。次に印刷データが通信インターフェース１１あるいは拡張ホストインターフェース４５から入力されているかを検出し、印刷データなければステップＳ５に進み、印刷データが入力されている場合は、ステップＳ３に進む（ステップＳ２）。印刷データを検出したＣＰＵ１９は、一般のプリンタのそれと同じように印刷を行う（ステップＳ３）。その後、不図示の内部タイマーをクリアして、ステップＳ１に戻る（ステップＳ４）。Ｓ５に進むと、ＣＰＵ１９の不図示の内部タイマーが１５分以上経過したかを検出し、１５分未満の場合は、ステップＳ２に戻り、１５分以上経過した場合はステップＳ６に進む。ここで、内部タイマーの経過時間１５分としたが、この値は、ユーザの設定した値や他の値でも同様の効果が得られ、本実施例では一例を示した（ステップＳ５）。その後、ＣＰＵ１９は、不図示の内部タイマーをクリアして（ステップＳ６）、プリンタ３を省電力モード状態に移行させる。その後、前述の方法により力率改善回路制御部２４６に制御信号を送り、力率改善回路２４３を動作停止状態にする（ステップＳ７）。
【００２６】
図５は、このプリンタ３において、ＣＰＵ１９が実行する省電力モードから動作モードに切り替える時のフローチャートである。
【００２７】
プリンタ３が省電力モード状態で印刷データを検出する、すなわち、ネットワークコントローラ４６で拡張ホストインターフェース４５を通して省電力モード状態の時に印刷データを受信すると出力されるＰＭＥ信号４７によりＣＰＵ１９に印刷データを受信したことを検出すると（ステップＳ１１）、前述の方法により力率改善回路制御部２４６に制御信号を送り、力率改善回路２４３を動作状態にする。その後、プリンタ３を動作モード状態に移行させる（ステップＳ１２）。
【図面の簡単な説明】
【００２８】
【図１】本発明を実施するための基本的構成を示すブロック図
【図２】電源２４を模式的に示した図
【図３】拡張インターフェースボード３０を拡張スロット３１に接続したときのブロック図
【図４】プリンタ３において、ＣＰＵ１９が実行する動作モードから省電力モードに切り替える時のフローチャート
【図５】プリンタ３において、ＣＰＵ１９が実行する省電力モードから動作モードに切り替える時のフローチャート
【符号の説明】
【００２９】
１  ホストコンピュータ
３  プリンタ
５  アップリケーション
７  オペレーティングシステム
９  プリンタドライバ
１１  双方向インターフェース
１３  プリンタエンジン
１５  コントローラ
１７  ホストＩ／Ｆ
１９  ＣＰＵ
２１  ＲＯＭ
２３  ＲＡＭ
２４  電源
２５  ＥＥＰＲＯＭ
２７  ＣＧ
２９  エンジンＩ／Ｆ
３０  拡張ボード
３１  拡張スロット
３３  フラッシュＲＯＭ
４１  拡張スロットコントローラ
４２  拡張ボード検出端子
４３  拡張ボード端子
４５  拡張ホストインターフェース
４６  ＬＡＮコントローラ
４８  ＰＭＥ信号
６０  拡張インターフェースコネクタ
２４１  電源プラグ
２４２  全波整流回路
２４３  力率改善回路
２４４  スイッチングレギュレータ回路
２４５  ＦＥＴ
２４６  力率改善回路制御部
【図１】
2007090830.tif 000003
【図２】
2007090830.tif 000004
【図３】
2007090830.tif 000005
【図４】
2007090830.tif 000006
【図５】
2007090830.tif 000007